(57)【要約】【課題】集塵性能性に優れた掃除機用吸込具を提供する。【解決手段】床面の塵埃を吸入するための吸入口（図示せず）を有する下部ノズル（図示せず）と、下部ノズルの略上部を覆い、床面上方に浮遊している塵埃を吸入するための穴部４を備えた上部ノズル３と、吸入口より吸入した塵埃を搬送するノズルパイプ５と、穴部４を開閉するために上部ノズル３または下部ノズルに回動自在に保持された遮蔽体６と、遮蔽体６を、穴部４を塞ぐ方向に常時付勢するバネ（図示せず）と、遮蔽体６の開閉制御を外部から行うためのレバー体８を備え、レバー体８を、上部ノズル３または下部ノズル上に設けたもので、床面上の塵埃をしっかりと除去したい時に、レバー体８を操作して遮蔽体６を閉じて、穴部４からの吸引の消失を防止することで、床面上の塵埃を確実に除去することができ、集塵性能性に優れた掃除機用吸込具を提供することができる。【選択図】図１
2011182952.tif 000002
【特許請求の範囲】
【請求項１】
床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記遮蔽体の開閉制御を外部から行うためのレバー体を備え、前記レバー体を、前記上部ノズルまたは前記下部ノズル上に設けた掃除機用吸込具。
【請求項２】
レバー体の動作方向を前後または左右方向として、足で操作できるようにした請求項１に記載の掃除機用吸込具。
【請求項３】
床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記上部ノズルまたは前記下部ノズルから略前方に突出自在に取り付けられた前レバーを備え、前記前レバーが壁面に接触する等により押された際に、前記遮蔽体を閉めるようにした掃除機用吸込具。
【請求項４】
床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記上部ノズルまたは前記下部ノズルから略側面方向に突出自在に取り付けられた横レバーを備え、前記横レバーが壁面に接触する等により押された際に、前記遮蔽体を閉めるようにした掃除機用吸込具。
【請求項５】
上部ノズルまたは下部ノズルから略前方に突出自在に取り付けられた前レバーを備え、前記前レバーが壁面に接触する等により押された際に、前記遮蔽体を閉めるようにした請求項４に記載の掃除機用吸込具。
【請求項６】
請求項１〜５のいずれか１項に記載された掃除機用吸込具を備えた電気掃除機。
【発明の詳細な説明】
【技術分野】
【０００１】
本発明は、掃除機用吸込具及びそれを用いた電気掃除機に関するものである。
【背景技術】
【０００２】
従来のこの種の掃除機用吸込具として、図１４に示されるようなものがある（例えば、特許文献１参照）。
【０００３】
図１４は、上記特許文献に記載された従来の掃除機用吸込具の要部断面図である。
【０００４】
図１４において、従来の掃除機用吸込具は、床面の塵埃を吸入するための吸入口１５を有する下部ノズル１６と、前記下部ノズル１６の略上部を覆い、床面上方に浮遊している塵埃を吸入するための穴部１７を備えた上部ノズル１８と、前記吸入口１５より吸入された塵埃を搬送するためのノズルパイプ（図示せず）と、前記穴部１７を開閉するために、前記上部ノズル１８または前記下部ノズル１６に回転自在に保持された遮蔽体１９と、前記遮蔽体１９を前記穴部１７を塞ぐ方向に常時付勢するためのバネ２０を備え、前記ノズルパイプを、図示しない延長管、ホースを介して電気掃除機（図示せず）に接続し、その電気掃除機を運転して、吸引を行うと、その吸引力にて、前記遮蔽体１９がバネ２０の付勢力に抗して内側に開き、開放された前記穴部１７から床面の上部を浮遊している微細な塵埃を吸引することができるようになっている。
【先行技術文献】
【特許文献】
【０００５】
【特許文献１】特開２００９−１５３５７０号公報
【発明の概要】
【発明が解決しようとする課題】
【０００６】
しかしながら上記特許文献１に記載されたような従来の掃除機用吸込具の構成では、床面清掃時に、前記穴部１７が常時開放されるため、吸引力の一部が前記穴部１７から消失して、床面の塵埃の集塵性能が劣化するといった課題があった。
【０００７】
本発明は、上記従来の課題を解決するもので、集塵性能性に優れた掃除機用吸込具及び電気掃除機を提供することを目的としている。
【課題を解決するための手段】
【０００８】
上記従来の課題を解決するために、本発明の掃除機用吸込具は、床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記遮蔽体の開閉制御を外部から行うためのレバー体を備え、前記レバー体を、前記上部ノズルまたは前記下部ノズル上に設けたもので、床面上の塵埃をしっかりと除去したい時には前記レバー体を、前記遮蔽体を閉じる方向に操作して、前記遮蔽体の動作を止め、前記穴部からの吸引の消失を防止することで、床面上の塵埃を確実に除去することができ、集塵性能性に優れた掃除機用吸込具を提供することができる。
【０００９】
又、本発明の掃除機用吸込具は、床面の塵埃を吸入するための吸入口を有する下部ノズルと、前記下部ノズルの略上部を覆い、床面上方に浮遊している塵埃を吸入するための穴
部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記上部ノズルまたは前記下部ノズルから略前方に突出自在に取り付けられた前レバーを備え、前記前レバーが壁面に接触する等により押された際に、前記遮蔽体を閉めるようにしたもので、前方の壁面に吸込具を接触させた際には前記前レバーが、前記遮蔽体を閉じる方向に動作するため、前記穴部から吸引が消失する事がなくなり、吸込具前部の集塵性能を上げることができるため、前部隅の塵埃を確実に除去することができ、集塵性能性に優れた掃除機用吸込具を提供することができる。
【００１０】
又、本発明の掃除機用吸込具は、床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記上部ノズルまたは前記下部ノズルから略側面方向に突出自在に取り付けられた横レバーを備え、前記横レバーが壁面に接触する等により押された際に、前記遮蔽体を閉めるようにしたもので、側面方向の壁面に吸込具を接触させた際には前記横レバーが、前記遮蔽体を閉じる方向に動作するため、前記穴部から吸引が消失する事がなくなり、吸込具側面部の集塵性能を上げることができるため、側面隅部の塵埃を確実に除去することができ、集塵性能性に優れた掃除機用吸込具を提供することができる。
【００１１】
また、本発明の電気掃除機は、請求項１〜５のいずれか１項に記載された掃除機用吸込具を備えたもので、部屋の隅部における集塵性能に優れた電気掃除機を提供することができる。
【発明の効果】
【００１２】
本発明の掃除機用吸込具及び電気掃除機は、集塵性能性に優れたものである。
【図面の簡単な説明】
【００１３】
【図１】本発明の実施の形態１における掃除機用吸込具の平面図
【図２】図１のＡ−Ａ断面図
【図３】図１のＢ−Ｂ断面図
【図４】図１のＡ−Ａ断面図（遮蔽体の開成時）
【図５】同掃除機用吸込具の平面図（レバー体を移動させた状態）
【図６】図５のＣ−Ｃ断面図
【図７】同掃除機用吸込具の他の例を示す平面図
【図８】図７のＤ−Ｄ断面図
【図９】本発明の実施の形態２における掃除機用吸込具の平面図
【図１０】図９のＥ−Ｅ断面図
【図１１】図９のＥ−Ｅ断面図（遮蔽体の動作を止めた状態）
【図１２】図９のＦ−Ｆ断面図
【図１３】図９のＦ−Ｆ断面図（遮蔽体の動作を止めた状態）
【図１４】従来の掃除機用吸込具の要部断面図
【発明を実施するための形態】
【００１４】
第１の発明は、床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前
記遮蔽体を、前記穴部を塞ぐ方向に常時付勢するためのバネと、前記遮蔽体の開閉制御を外部から行うためのレバー体を備え、前記レバー体を、前記上部ノズルまたは前記下部ノズル上に設けたもので、床面上の塵埃をしっかりと除去したい時には前記レバー体を、前記遮蔽体を閉じる方向に操作して、前記遮蔽体の動作を止め、前記穴部からの吸引の消失を防止することで、床面上の塵埃を確実に除去することができ、集塵性能性に優れた掃除機用吸込具を提供することができる。
【００１５】
第２の発明は、特に、第１の発明のレバー体の動作方向を前後または左右方向として、足で操作できるようにしたもので、床面上の塵埃をしっかりと除去したい時には前記レバー体を、足で前記遮蔽体を閉じる方向に操作して、前記遮蔽体の動作を止め、前記穴部からの吸引の消失を防止することで、床面上の塵埃を確実に除去することができ、使用性および集塵性能性に優れた掃除機用吸込具を提供することができる。
【００１６】
第３の発明は、床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記上部ノズルまたは前記下部ノズルから略前方に突出自在に取り付けられた前レバーを備え、前記前レバーが壁面に接触する等により押された際に、前記遮蔽体を閉めるようにしたもので、前方の壁面に吸込具を接触させた際には前記前レバーが、前記遮蔽体を閉じる方向に動作するため、前記穴部から吸引が消失する事がなくなり、吸込具前部の集塵性能を上げることができるため、前部隅の塵埃を確実に除去することができ、集塵性能性に優れた掃除機用吸込具を提供することができる。
【００１７】
第４の発明は、床面の塵埃を吸入するための吸入口を有する下部ノズルと、前記下部ノズルの略上部を覆い、床面上方に浮遊している塵埃を吸入するための穴部を備えた上部ノズルと、前記吸入口より吸入した塵埃を搬送するためのノズルパイプと、前記穴部を開閉するために、前記上部ノズルまたは前記下部ノズルに回動自在に保持された遮蔽体と、前記遮蔽体を、前記穴部を塞ぐ方向に常時付勢するためのバネと、前記上部ノズルまたは前記下部ノズルから略側面方向に突出自在に取り付けられた横レバーを備え、前記横レバーが壁面に接触する等により押された際に、前記遮蔽体を閉めるようにしたもので、側面方向の壁面に吸込具を接触させた際には前記横レバーが、前記遮蔽体を閉じる方向に動作するため、前記穴部から吸引が消失する事がなくなり、吸込具側面部の集塵性能を上げることができるため、側面隅部の塵埃を確実に除去することができ、集塵性能性に優れた掃除機用吸込具を提供することができる。
【００１８】
第５の発明は、第４の発明の上部ノズルまたは下部ノズルから略前方に突出自在に取り付けられた前レバーを備え、前記前レバーが壁面に接触する等により押された際に、前記遮蔽体を閉めるようにしたもので、前方の壁面に吸込具を接触させた際には前記前レバーが、また、側面方向の壁面に吸込具を接触させた際には前記横レバーが、それぞれ前記遮蔽体を閉じる方向に動作するため、前記穴部から吸引が消失する事がなくなり、吸込具前部および側面部の集塵性能を上げることができるため、前部および側面隅部の塵埃を確実に除去することができ、集塵性能性に優れた掃除機用吸込具を提供することができる。
【００１９】
また、第６の発明に係る電気掃除機は、請求項１〜５のいずれか１項に記載された掃除機用吸込具を備えたもので、部屋の隅部における集塵性能に優れた電気掃除機を提供することができる。
【００２０】
以下、本発明の実施の形態について、図面を参照しながら説明する。なお、この実施の
形態によって本発明が限定されるものではない。
【００２１】
（実施の形態１）
図１は、本発明の実施の形態１における掃除機用吸込具の平面図、図２は、図１のＡ−Ａ断面図、図３は、図１のＢ−Ｂ断面図、図４は、図１のＡ−Ａ断面図（遮蔽体の開成時）、図５は、同掃除機用吸込具の平面図（レバー体を移動させた状態）、図６は、図５のＣ−Ｃ断面図である。
【００２２】
図１〜図６において、１は、床面の塵埃を吸入するための吸入口２を有する下部ノズル、３は前記下部ノズル１の略上部を覆い、床面上方に浮遊している塵埃を吸入するための穴部４を備えた上部ノズル、５は、前記吸入口１より吸入した塵埃を、電気掃除機（図示せず）に搬送するためのノズルパイプ、６は前記穴部４を開閉するために、前記上部ノズル３に回動自在に保持された遮蔽体、７は、前記遮蔽体６を、前記穴部４を塞ぐ方向に常時付勢するためのバネであり、前記遮蔽体６の開閉制御を外部から行うための左右方向に移動可能なレバー体８を前記上部ノズル３上に設けている。
【００２３】
前記レバー体８下部にはフック部９を設けており、前記レバー体８を図３に示すように前記遮蔽体６側に動かすと、前記フック部９が前記遮蔽体６の略端部１０を保持することで、前記遮蔽体６の回動動作を止めることができる。
【００２４】
上記実施の形態では、レバー体８を、左右方向に移動させることで、遮蔽体６の開閉制御を行うようにしたが、図７および図８に示すように、レバー体８を、上部ノズル３の略上部に前後に回動自在に取りつけ、前記レバー体８を図８のように後方に倒すことにより、前記レバー体８の略下部に設けた前記フック部９が前記遮蔽体６の略端部１０を保持することで、前記遮蔽体６の動作を止めるようにしても良い。
【００２５】
以上のように構成された本実施の形態における掃除機用吸込具の動作、作用を説明する。
【００２６】
まず、床面を掃除する際には、電気掃除機に連通接続された延長管（図示せず）を前記ノズルパイプ５に接続し、吸引を行う。この際、床面の塵埃は前記吸入口２から吸引されて電気掃除機へ移動する。
【００２７】
同時に、吸引により、前記遮蔽体６がバネ７の付勢力に抗して内側に開き、開放された前記穴部４から床面の上部を浮遊している微細な塵埃を吸引することができる。
【００２８】
そして、床面上の塵埃をしっかりと除去したい時に前記レバー体８を、図５または図６に示すように、前記遮蔽体６を閉じる方向に操作して、前記フック部９が前記略端部１０を保持して前記遮蔽体６の動作を止め、前記穴部４からの吸引の消失を防止することで、床面上の塵埃を確実に除去することができ、集塵性能性に優れた掃除機用吸込具を提供することができる。
【００２９】
また、図８に示すように、前記レバー体８を足で後方に倒すと、前記フック部９が前記略端部１０を保持して前記遮蔽体６の動作を止め、前記穴部４からの吸引の消失を防止することで、床面上の塵埃を確実に除去することができ、集塵性能性に優れた掃除機用吸込具を提供することができる。
【００３０】
なお、上記実施の形態では、穴部４及び遮蔽体６を上部ノズル３に設けたが、下部ノズル１に設けても良い。
【００３１】
（実施の形態２）
図９は、本発明の実施の形態２における掃除機用吸込具の平面図、図１０は、図９のＥ−Ｅ断面図、図１１は、図９のＥ−Ｅ断面図（遮蔽体の動作を止めた状態）、図１２は、図９のＦ−Ｆ断面図、図１３は、図９のＦ−Ｆ断面図（遮蔽体の動作を止めた状態）である。なお、上記実施の形態１における掃除機用吸込具と同一部分には、同一符号を付してその説明を省略する。
【００３２】
図９〜１３において、１は、床面の塵埃を吸入するための吸入口２を有する下部ノズル、３は、前記下部ノズル１の略上部を覆い、床面上方に浮遊している塵埃を吸入するための穴部４を備えた上部ノズル、５は、前記吸入口１より吸入した塵埃を電気掃除機に搬送するためのノズルパイプ、６は、前記穴部４を開閉するために、前記上部ノズル３に回動自在に保持された遮蔽体、７は、前記遮蔽体６を、前記穴部４を塞ぐ方向に常時付勢するためのバネ、１１は、前記下部ノズル１から略前方に突出自在に取り付けられた前レバーである。
【００３３】
前記前レバー１１の後部には、前フック部１２を設けており、掃除機用吸込具の前部が壁面２５に当たって、前記前レバー１１が、図１１に示すように押されると、前記前フック部１２が、前記遮蔽体６を押し上げて、前記遮蔽体６の動作を止めることができるようになっている。
【００３４】
また、１３は、前記上部ノズル３から側面方向に突出自在に取り付けられた横レバーである。前記横レバー１３の奥には、横フック部１４を設けており、掃除機用吸込具の側面が壁面に当たって、前記横レバー１３が、図１３に示すように押されると、前記横フック部１４が、前記遮蔽体６の略端部１０を押し上げることで、前記遮蔽体６の動作を止めることができるようになっている。
【００３５】
以上のように構成された本実施の形態における掃除機用吸込具について、以下その動作、作用を説明する。
【００３６】
まず、床面を掃除する際には、電気掃除機に連通接続された延長管（図示せず）を前記ノズルパイプ５に接続し、吸引を行う。この際、床面の塵埃は、前記吸入口２から吸引されて電気掃除機へ移動する。
【００３７】
同時に、吸引により前記遮蔽体６がバネ７の付勢力に抗して内側に開き、開放された前記穴部４から床面の上部を浮遊している微細な塵埃を吸引することができる。
【００３８】
また、本実施の形態においては、前方の壁面に掃除機用吸込具を接触させた際には、図１１に示すように、前記前レバー１１が押しこまれることで、前記前フック部１２が前記遮蔽体６を持ち上げて、前記遮蔽体６を閉じるため、前記穴部４から吸引が消失する事がなくなり、掃除機用吸込具前部の集塵性能を上げることができるため、前部隅の塵埃を確実に除去することができ、集塵性能性に優れた掃除機用吸込具を提供することができる。
【００３９】
また、図１３に示すように、前記横レバー１３が壁面に接触する等により押された際には、前記横レバー１３が押しこまれることで、前記横フック部１４が、前記遮蔽体６の前記略端部１０を持ち上げて、前記遮蔽体６を閉じるため、前記穴部４から吸引が消失する事がなくなり、掃除機用吸込具の側面部の集塵性能を上げることができるため、側面隅部の塵埃を確実に除去することができ、集塵性能性に優れた掃除機用吸込具を提供することができる。
【００４０】
なお、上記実施の形態では、前レバー１１を下部ノズル１に設けたが、上部ノズル３に
設けても良い。また、横レバー１３を上部ノズル３に設ける代わりに、下部ノズル１に設けても良い。
【００４１】
また、上記実施の形態１又は２に記載した掃除機用吸込具を電気掃除機に接続すれば、集塵性能に優れた電気掃除機を提供することができる。
【産業上の利用可能性】
【００４２】
以上のように、本発明にかかる掃除機用吸込具及び電気掃除機は、集塵性能性に優れた極めて有用なもので、家庭用、業務用の各種電気掃除機に適用できる。
【符号の説明】
【００４３】
１  下部ノズル
２  吸入口
３  上部ノズル
４  穴部
５  ノズルパイプ
６  遮蔽体
７  バネ
８  レバー体
【図１】
2011182952.tif 000003
【図２】
2011182952.tif 000004
【図３】
2011182952.tif 000005
【図４】
2011182952.tif 000006
【図５】
2011182952.tif 000007
【図６】
2011182952.tif 000008
【図７】
2011182952.tif 000009
【図８】
2011182952.tif 000010
【図９】
2011182952.tif 000011
【図１０】
2011182952.tif 000012
【図１１】
2011182952.tif 000013
【図１２】
2011182952.tif 000014
【図１３】
2011182952.tif 000015
【図１４】
2011182952.tif 000016